(57)【要約】      （修正有）【課題】着用者が体を動かした際にパッドが所定の位置からずれてカップからはみ出すのを防止し、身体に対する所定の装着状態を長時間に亘って保ち、乳房側に対してバスト側や脇側の余分な脂肪を引き寄せた状態を保ち、バストアップ効果を長時間に亘って維持するパッド及びブラジャーを提供する。【解決手段】各カップ３内面に当接する一面及び乳房に当接する他面の周縁及び少なくとも中央部に、表面の摩擦係数が高い軟質材料からなる保持部材１９をそれぞれ取り付ける。該保持部材１９の摩擦力によりカップ３内に寄せられて収められた脂肪の戻りを規制してバストアップ状態を保持可能にする用途に使用する。【選択図】図１
0003176948.tif 000002
【実用新案登録請求の範囲】
【請求項１】
ブラジャーの各カップ内に装着される適宜厚さで偏平状のパッドにおいて、
カップ内面に当接する一面及び乳房に当接する他面の周縁及び少なくとも中央部に、表面の摩擦係数が高い軟質材料からなる保持部材を取り付け、該保持部材の摩擦力によりカップ内に寄せられて収められた脂肪の戻りを規制してバストアップ状態を保持可能にする用途に使用するパッド。
【請求項２】
請求項１において、保持部材は、ゴム、シリカゲル或いはラテックスで、適宜厚さ及び幅のテープ状に形成されてなるパッド。
【請求項３】
請求項１において、パッドの各面における中央部に取り付けられる保持部材は、長手方向及び長手直交方向の少なくともいずれかへ延出するように取り付けたパッド。
【請求項４】
少なくとも左右のカップと、左右の土台布及び左右の背面布からなるブラジャーにおいて、
上記各カップ内側の少なくとも下部周縁には、表面の摩擦係数が高い軟質材料からなる保持部材を取り付け、該保持部材の摩擦力によりカップ内に寄せられて収められた脂肪の戻りを規制してバストアップ状態を保持可能にする用途に使用するブラジャー。
【請求項５】
請求項４において、各土台布には、高い軟質材料からなる保持部材を該土台布の延出方向と直交する方向へ延出するように取り付けたことを特徴とするブラジャー。
【請求項６】
請求項４において、各カップの下部周縁には、ワイヤーまたはボーンを内縫し、内縫されたワイヤーまたはボーンに沿ったカップ内面の下部に保持部材を取り付けたブラジャー。
【請求項７】
請求項４乃至６のいずれかにおいて、各カップ内の下部には、請求項１乃至３記載のいずれかのパッドを取り付け可能にしたブラジャー。
【考案の詳細な説明】
【技術分野】
【０００１】
本考案は、ブラジャーを着用した際にカップのずれを防止したり、引き寄せてカップ内に収めた余分な脂肪（肉）の戻りを防止してバストアップ状態を保持可能にする用途に使用するパッド及びブラジャーに関する
【背景技術】
【０００２】
女性のバスト部分のプロポーションをより良くするためには、ブラジャーカップの内側下部にパッドを取り付け、ブラジャーの着用時にパッドによりバストを押し上げてバスト形状を調整して美しく見せるようにしている。
【０００３】
しかしながら、従来のパッドはブラジャーカップの内側下部に対して位置決めされていないため、着用者が体を動かした際にパッドが所定の位置からずれてカップからはみ出してバスト形状が崩れてしまう恐れがあった。
【０００４】
そしてブラジャーカップからパッドが位置ずれしてはみ出した際には、比較的容易に直すことができるが、異性等の人前で露骨に下着の一部を直すことに抵抗を感じ、はみ出したままの状態でブラジャーを着用し続けなければならない問題を有している。
【０００５】
また、身体におけるバスト部や脇側の余分な脂肪（肉）を乳房側に寄せてカップ内に収めたり、乳房を互いに中心部に寄せたりしてバストアップを図る際に、上記した従来のパッドでは、カップ内における余分な脂肪の収まり状態を保って長時間に亘ってバストアップ状態を維持できなかった。
【０００６】
一方、例えば特許文献１に示すブラジャーは、ブラジャーのベルトの内側面部に沿って位置ずれ防止部を形成し、皮膚面と該皮膚面に被着されるベルト面の間に介在する位置ずれ防止部により滑り止めして身体に対する所定の着用状態を保つようにしている。
【０００７】
しかしながら、上記したブラジャーにあっては、皮膚面に対するベルトの位置ずれを防止することが可能であるが、全体の半分以上ある前面側のカップの位置ずれを防止するには有効でなく、着用状態を保つことが困難である。
【０００８】
また、身体におけるバスト部や脇側の余分な脂肪を乳房側に寄せてカップ内に収めたり、乳房を互いに中心部に寄せたりしてバストアップを図る用途で使用する場合にあっては、上記した従来のブラジャーでは、カップ内における余分な脂肪の寄せ状態を保つことが困難で、長時間に亘ってバストアップ状態を維持できなかった。この問題は、皮膚面に対するベルトを強固に圧接させることにより解決できるが、圧迫感が強くなって長時間に亘って着用することが困難であった。
【先行技術文献】
【特許文献】
【０００９】
【特許文献１】特開２００２−２４２００４号公報
【考案の概要】
【考案が解決しようとする課題】
【００１０】
解決しようとする問題点は、着用者が体を動かした際にパッドが所定の位置からずれてカップからはみ出してバスト形状が崩れてしまう点にある。また、皮膚面に対するベルトの位置ずれを防止しただけでは、カップの位置ずれを防止するには有効でなく、身体に対する所定の装着状態を保つことが困難な点にある。更に、バスト部や脇側の余分な脂肪を乳房側に寄せてバストアップを図る用途で使用する場合にあっては、カップ内における余分な脂肪の収まり状態を保つことが困難で、乳房側に対する脂肪の寄せ状態を長時間に亘って保つことが困難な点にある。
【課題を解決するための手段】
【００１１】
本考案のパッドは、ブラジャーの各カップ内面に当接する一面及び乳房に当接する他面の周縁及び少なくとも中央部に表面の摩擦係数が高い軟質材料からなる保持部材を取り付け、該保持部材の摩擦力によりカップ内に寄せられて収められた脂肪の戻りを規制してバストアップ状態を保持可能にする用途に使用することを最も主要な特徴とする。
また、本考案のブラジャーは、少なくとも左右のカップと、左右の土台布及び左右の背面布からなるブラジャーにおいて、上記各カップ内側の少なくとも下部周縁に、表面の摩擦係数が高い軟質材料からなる保持部材を取り付け、該保持部材の摩擦力によりカップ内に寄せられて収められた脂肪の戻りをを規制してバストアップ状態を保持可能にする用途に使用することを最も主要な特徴とする。
【考案の効果】
【００１２】
本考案のパッドは、着用者が体を動かした際にパッドが所定の位置からずれてカップからはみ出すのを防止し、長時間に亘ってバスト形状が良好な状態に保つことができる。また、乳房側に対してバスト側や脇側の余分な脂肪を引き寄せてカップ内に収めた状態を長時間に亘って保ってバストアップ効果を維持することができる。
本考案のブラジャーは、身体に対する所定の装着状態を長時間に亘って保ち、乳房側に対してバスト側や脇側の余分な脂肪を引き寄せた状態を保ち、バストアップ効果を長時間に亘って維持することができる。
【図面の簡単な説明】
【００１３】
【図１】パッドが装着されたブラジャーを背面側から見た全体斜視図である。
【図２】パッドにおける保持部材の取付け状態を示す斜視図である。
【図３】ブラジャーのカップにおける保持部材の取付け状態を示す部分斜視図である。
【図４】ブラジャーの土台布における保持部材の取付け状態を示す部分斜視図である。
【考案を実施するための形態】
【００１４】
本考案のパッドは、各カップ内面に当接する一面及び乳房に当接する他面の周縁及び少なくとも中央部に、表面の摩擦係数が高い軟質材料からなる保持部材を取り付け、該保持部材の摩擦力によりカップ内に寄せられて収められた脂肪の戻りを規制することを最適の実施形態とする。
【００１５】
本考案のブラジャーは、少なくとも左右のカップと、左右の土台布及び左右の背面布からなるブラジャーにおいて、上記各カップ内側の下部周縁に、表面の摩擦係数が高い軟質材料からなる保持部材を周縁に沿って取り付け、該保持部材の摩擦力によりカップ内に寄せられて収められた脂肪の戻りを規制することを最適の実施形態とする。
【実施例１】
【００１６】
以下において図に従って本考案の実施形態を説明する。
図１乃至図４に示すように本考案に係るブラジャー１は、左右のカップ布本体からなるカップ３と、土台布５、左右の背面布７、肩紐９及び各カップ３の内面に取り付けられるパッド１１で構成され、各カップ３の下外縁側には、カップ３の下外形に応じて湾曲形成されたワイヤーまたはボーン（図示せず）が内縫される。
【００１７】
乳房を覆う左右のカップ３は、図示の例では、乳房の下半分を覆う形状とし、土台布５は、アンダーバスト位置を正面側から両脇にかけて覆うようにカップ３の下辺縁に連続して縫着される。土台布５の脇側端縁には、左右の背面布７がそれぞれ縫着され、各背面布７の後端には、係止具１３が取り付けられ、背面側で着脱自在に係止される。
【００１８】
なお、上記土台布５、背面布７を構成する布としては、種々の素材を使用することができるが、伸縮率の高いエラスチック素材で、例えば肌当たりを高めるサテン調ハイゲージの編地、人体に抵抗感を和らげるハイゲージトリコット編地、逆に通気性を高める細デニール糸使いのメッシュ地、吸汗性を高める裏綿構成のリバーシブル地等で、ポリウレタン糸等を編み込んだストレッチ素材が適している。
【００１９】
各カップ３の下部内面には、保持部材としての保持テープ１５が、内縫されたワイヤー箇所に対応してそれぞれ取り付けられる。該保持テープ１５は、肌に優しく、表面の摩擦係数が高い軟質材料で、例えばゴム、シリカゲル（シリコンゴム）或いはラテックスで、適宜厚さ及び幅のテープ状に形成される。該保持テープ１５は、各カップ３に対して縫着したり、裏面に熱可塑性接着剤を塗布して熱溶着することにより接着したりして取り付けられる。
【００２０】
また、各土台布５の内面には、上下方向へ延出する保持部材としての保持テープ１７がそれぞれ取り付けられる。該保持テープ１７は、上記保持テープ１３と同様に肌に優しく、表面の摩擦係数が高い軟質材料で、例えばゴム、シリカゲル或いはラテックスが適しており、各土台布５に対して縫着したり、裏面に熱可塑性接着剤を塗布して熱溶着することにより接着したりして取り付けられる。図は、各土台布５の内面に対して複数本の保持テープ１７を上下方向へ延出するように縫着して取り付けた例を示す。
【００２１】
各パッド１１は、カップ３の下部内面に一致する形状の布袋で、内部にクッション性を有した所要厚さの化学繊維布が内蔵された偏平状に形成される。該カップ３を構成する布袋の材質としては、吸湿性が高い綿素材が適している。そして各パッド１１の表面及び裏面には、保持部材としての保持テープ１９が外形に沿うと共に中央部を横断するようにそれぞれ取り付けられる。
【００２２】
該保持テープ１９は、上記保持テープ１５、１７と同様に肌に優しく、表面の摩擦係数が高い軟質材料で、例えばゴム、シリカゲル（シリコンゴム）或いはラテックスが適しており、各パッド１１の表面及び裏面に対して縫着したり、裏面に熱可塑性接着剤を塗布して熱溶着することにより接着したりして取り付けられる。
【００２３】
なお、パッド１１に取り付けられる保持部材としては、テープ状の他にシート状のものを表面及び裏面に全体に亘って取り付けたものであってもよい。
【００２４】
上記のように構成されるパッド１１にあっては、通常のブラジャーに装着して使用する際には、パッド１１の表面及び裏面に保持テープ１９が取り付けられているため、カップ３の下部内面及び乳房の肌に対して高い摩擦係数で密着して乳房に対するカップ３の位置ずれを長時間に亘って防止し、バスト部分のプロポーションを良好に保つことができる。
【００２５】
また、カップ３に対して乳房の下部を持ち上げたり、乳房周囲や脇側の余分な脂肪をカップ３内に収まるように引き寄せたりしてバストアップしてプロポーションを良好するように使用する場合にあっては、カップ３に取り付けられたパッド１１により引き寄せられた脂肪が元に戻るのを防止し、バストアップ状態のプロポーションを長時間に亘って良好に保つことができる。
【００２６】
上記のように構成されたブラジャー１にあっては、通常の着用時においては、カップ３内面のワイヤーに沿って取り付けられた保持テープ１５及び土台布５の内面に上下方向へ延出するように取り付けられた保持テープ１７によりカップ３を乳房の肌へ、また土台布５を脇の肌へ高い摩擦係数で密着させることにより乳房に対するカップ３及び脇に対する土台布５の位置ずれを防止し、バスト部分のプロポーションを長時間に亘って良好に保つことができる。
【００２７】
特に、乳房周囲や脇側の余分な脂肪を引き寄せてカップ３内に収まるようにしてバストアップしてプロポーションを良好するように使用する場合にあっては、カップ３に取り付けられた保持テープ１５及び土台布５に取り付けられた保持テープ１７が高い摩擦係数で肌に密着して引き寄せ状態を保持し、バストアップ状態のプロポーションを長時間に亘って良好に保つことができる。
【００２８】
更に、上記のように構成されたブラジャー１のカップ３内に上記のパッド１１を取り付けて着用する場合にあっては、身体に対するカップ３の位置ずれを更に防止すると共にカップ内に引き寄せて収められた余分な脂肪の戻りを防止してバスト部分のプロポーションを長時間に亘って良好に保つことができる。
【符号の説明】
【００２９】
１  ブラジャー
３  カップ
５  土台布
７  背面布
９  肩紐
１１  パッド
１３  係止具
１５  保持部材としての保持テープ
１７  保持部材としての保持テープ
１９  保持部材としての保持テープ
【図１】
0003176948.tif 000003
【図２】
0003176948.tif 000004
【図３】
0003176948.tif 000005
【図４】
0003176948.tif 000006